【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
回転数可変な圧縮機により冷媒を循環させる冷凍サイクルを用いた冷凍サイクル装置であって、
マイクロコンピュータを装備して、前記冷凍サイクルの運転を制御する制御装置と、
この制御装置に設けられ、当該冷凍サイクル装置に入力された電源の交流電圧の電圧ゼロ点を検出する電源ゼロクロス回路と、
この電源ゼロクロス回路と前記マイクロコンピュータで構成され、前記電源ゼロクロス回路が検出した電圧ゼロ点の間隔から前記マイクロコンピュータが前記電源の交流電圧の周期を捉えることで、電源の周波数を測定する電源の周波数測定回路と、を備え、
前記制御装置が、
前記電源の周波数測定回路が測定した電源の周波数の変動に応じて、前記圧縮機の回転数を変化もしくは前記圧縮機を停止させることを特徴とする冷凍サイクル装置。
【請求項２】
前記制御装置が、
前記電源の周波数測定回路が測定した電源の周波数の基準周波数に対する変動量を検出し、この変動量が所定範囲を逸脱した場合に、その変動量に応じて、前記圧縮機の回転数を変化もしくは前記圧縮機を停止させ、当該冷凍サイクル装置の消費電力を増減させる電力の需給バランスを整える運転を行うことを特徴とする請求項１に記載の冷凍サイクル装置。
【請求項３】
前記制御装置が、
前記電源の周波数測定回路が直近の所定時間内に測定した電源の周波数を平均化処理し、この平均化処理した値を前記基準周波数と定めることを特徴とする請求項２に記載の冷凍サイクル装置。
【請求項４】
当該冷凍サイクル装置の運転電流を検出する電流センサを備え、
前記制御装置が、
前記電流センサにより検出された電源の周波数が前記所定範囲を逸脱する前の運転電流に、前記変動量に応じた所定の比率を乗じた目標運転電流を設定し、運転電流がこの目標運転電流となるように、前記電流センサにて運転電流を監視しながら前記圧縮機の回転数を変化させることを特徴とする請求項２または請求項３に記載の冷凍サイクル装置。
【請求項５】
前記制御装置が、
前記電源の周波数測定回路が測定した電源の周波数が前記基準周波数より小さくなる方向に変動して前記所定範囲を逸脱した場合には、その変動量に応じて、当該冷凍サイクル装置の最大許容電流もしくは前記圧縮機の最大許容回転数を低減し、前記圧縮機の回転数を低下させることを特徴とする請求項２または請求項３に記載の冷凍サイクル装置。
【請求項６】
前記制御装置が、
前記電源の周波数測定回路が測定した電源の周波数が前記基準周波数より大きくなる方向に変動して前記所定範囲を逸脱した場合には、前記圧縮機を最大許容回転数で運転することを特徴とする請求項２または請求項３に記載の冷凍サイクル装置。
【請求項７】
前記制御装置が、
前記電力の需給バランスを整える運転中も前記電源の周波数測定回路が測定した電源の周波数の基準周波数に対する変動量を検出し、この変動量が前記所定範囲内に戻った場合には、前記電力の需給バランスを整える運転を終了させることを特徴とする請求項２から請求項６のいずれかに記載の冷凍サイクル装置。
【請求項８】
前記平均化処理の際、前記電源の周波数測定回路が測定した電源の周波数の最新値は含めないことを特徴とする請求項３に記載の冷凍サイクル装置。
【請求項９】
前記電力の需給バランスを整える運転中は、前記平均化処理を停止するとともに、前記基準周波数は前記電力の需給バランスを整える運転を開始した時点もしくは直前の基準周波数を継続させることを特徴とする請求項３に記載の冷凍サイクル装置。
【請求項１０】
前記制御装置は、ＰＡＭ手段もしくはインバータ部を有して前記圧縮機の運転を制御する圧縮機駆動回路を備え、
この圧縮機駆動回路が、前記ＰＡＭ手段もしくはインバータ部のスイッチング素子のスイッチング制御に使用するゼロクロス回路を装備するとともに、
前記電源の周波数測定回路の電源ゼロクロス回路と前記圧縮機駆動回路のゼロクロス回路が併用されていることを特徴とする請求項１から請求項９のいずれかに記載の冷凍サイクル装置。
【請求項１１】
前記電力の需給バランスを整える運転中であることを使用者に知らせる表示手段を備えたことを特徴とする請求項２から請求項１０のいずれかに記載の冷凍サイクル装置。
【請求項１２】
前記冷凍サイクル装置が、室内機と室外機を有する空気調和機であって、
前記電力の需給バランスを整える運転中には、前記室内機は、当該空気調和機の運転モードに応じて、室内への吹き出し気流を使用者にあてないように制御することを特徴とする請求項２から請求項１１のいずれかに記載の冷凍サイクル装置。
【手続補正２】
【補正対象書類名】明細書
【補正対象項目名】００６６
【補正方法】変更
【補正の内容】
【００６６】
ＩＰＭ２０６は、直列に接続された２つのスイッチング素子と、それぞれのスイッチング素子に並列に接続されたダイオードとを有し、圧縮機１の電動機が三相モータであるので、これらのスイッチング素子とダイオードの組み合わせを３組備えている。ただし、図４のＩＰＭ２０６には、省略して１組だけ図示している。ＩＰＭ２０６のスイッチング素子のスイッチングは室外制御マイコン２０９の出力する制御信号に基づいて行われる。
【手続補正３】
【補正対象書類名】明細書
【補正対象項目名】００６７
【補正方法】変更
【補正の内容】
【００６７】
このとき、室外制御マイコン２０９は、建物負荷に応じた圧縮機１の回転数となるように、ＩＰＭ２０６のスイッチング素子をスイッチングして、三相交流の周波数と電圧を作り出し、圧縮機１に供給する。これにより、圧縮機１が建物負荷に応じた回転数に制御される。このように、電力送電線１０７を介して室内のコンセントに供給されている商用交流電源（交流電力）から、圧縮機１の回転数が任意の回転数となるような三相の交流電圧や周波数を作り出す駆動回路が、圧縮機駆動回路１５である。
【手続補正４】
【補正対象書類名】明細書
【補正対象項目名】０１５６
【補正方法】変更
【補正の内容】
【０１５６】
まず暖房運転時に、室外側制御装置１４が、電源の周波数が基準周波数より−０．４Ｈｚ〜−１．５Ｈｚ（ただし−１．５Ｈｚは含まず）となる変動（電力の供給不足状態）を検出して電力の需給バランスを整える運転を行う場合について説明する。この場合、圧縮機１の回転数低下により暖房能力が低減し、室内機１００の吹出口３３から吹き出し温度が低くなった気流（調和空気）が室内に吹き出されることになるので、室内側制御装置１２は、室内ファン９の風速を弱とし、また、温度の低くなった吹き出し気流が使用者に直接あたらないように、上下風向調整板３４を上吹きとなる角度に回動させる制御を行う。ここで上吹きとは、気流を水平方向もしくは水平より天井側に向けて吹き出すことである。
【手続補正５】
【補正対象書類名】明細書
【補正対象項目名】０１５９
【補正方法】変更
【補正の内容】
【０１５９】
次に冷房運転時に、室外側制御装置１４が、電源の周波数が基準周波数より−０．４Ｈｚ〜−１．５Ｈｚ（ただし−１．５Ｈｚは含まず）となる変動（電力の供給不足状態）を検出して電力の需給バランスを整える運転を行う場合について説明する。この場合、圧縮機１の回転数低下により冷房能力が低減し、室内機１００の吹出口３３から吹き出し温度が高くなった気流が吹き出されることになるので、室内側制御装置１２は、使用者が冷涼感を感じられるように、室内ファン９の風速を強とし、また、上下風向調整板３４を上下にスイングさせて、使用者に気流感を与える制御を行う。